(57)【要約】【課題】  ガイド孔の形状に工夫を加え、釣り糸を繰出す際や巻取り時において、ガイド孔を通過する釣り糸に対する摺動抵抗を軽減し、繰出し操作、及び、巻取り操作の円滑さを向上させる中通し竿を提供する。【解決手段】  元竿１に、両軸受リールＲから繰出された釣り糸ａを、釣り糸案内経路ｂ内に導入する糸導入孔４を形成するとともに、糸導入孔４の外側に両軸受リールＲから繰出された釣り糸ａを糸導入孔４に誘導する糸ガイド機構Ｂを設ける。糸ガイド機構Ｂに、糸導入孔４に両軸受リールＲから繰出された釣り糸ａを誘導するガイド孔６を形成し、このガイド孔６を、両軸受リールＲのレベルワインド機構Ｒａの作動方向に沿った横方向に長い長孔に形成してある。【選択図】        図１
2008043265.tif 000002
【特許請求の範囲】
【請求項１】
釣り糸案内経路を竿体内に形成した前記竿体に、リールから繰出された釣り糸を、前記釣り糸案内経路内に導入する糸導入孔を形成するとともに、前記糸導入孔の外側に前記リールから繰出された釣り糸を糸導入孔に誘導する糸ガイド機構を設けてある中通し竿であって、
前記糸ガイド機構に、前記糸導入孔に前記リールから繰出された釣り糸を誘導するガイド孔を形成し、このガイド孔が、横方向に長い長孔に形成されている中通し竿。
【請求項２】
前記糸ガイド機構に、前記ガイド孔を通過した釣り糸を前記糸導入孔に誘導する補助ガイド孔を形成し、この補助ガイド孔を横方向に長い長孔に形成するとともに、前記ガイド孔に比べて横方向に沿った長さを短く形成してある請求項１記載の中通し竿。
【請求項３】
前記糸ガイド機構に、前記ガイド孔を通過した釣り糸を前記糸導入孔に誘導する補助ガイド孔を形成し、この補助ガイド孔を円形孔に形成してある請求項１記載の中通し竿。
【請求項４】
竿体に取り付け固定されるガイドフレームに、前記ガイド孔と前記補助ガイド孔とを形成して前記糸ガイド機構を構成するとともに、前記ガイドフレームの竿体に対する脚部を竿体の両側面に位置させて取り付け固定している請求項１又は２記載の中通し竿。
【発明の詳細な説明】
【技術分野】
【０００１】
本発明は、釣り糸案内経路を竿体内に形成した前記竿体に、リールから繰出された釣り糸を、前記釣り糸案内経路内に導入する糸導入孔を形成するとともに、前記糸導入孔の外側に前記リールから繰出された釣り糸を糸導入孔に誘導する糸ガイド機構を設けてある中通し竿に関する。
【背景技術】
【０００２】
糸ガイド機構に形成されているガイド孔としては、リールからの釣り糸をガイドする孔が形成されている点が記載されているだけである（特許文献１参照）。
【０００３】
【特許文献１】特開２０００−１４４０１５号公報（段落番号〔００１８〕、及び、図２）
【非特許文献１】株式会社シマノ  ２００４年２月３日発行    シマノ  フィシング  タックル  カタログ（第８５〜８６頁）
【発明の開示】
【発明が解決しようとする課題】
【０００４】
ガイド孔としては、上記した公報においては限定されていないが、非特許文献において示されているように、円形のものが通常用いられている。
しかし、例えば両軸受リールのレベルワインド機構によって、左右に振られる状態でリールから繰出されて来る釣り糸は、左右に拡がった経路で繰出されてくる。そうすると、ガイド孔は円形形状を呈しているので、左右に拡がった釣り糸に対応できず、ガイド孔に挿通される際に、釣り糸が急激に収束されることとなり、大きな摺動抵抗を受けることとなる。
したがって、釣り糸を繰出す際や巻取り時において、ガイド孔を通過する釣り糸に大きな摺動抵抗が発生し、繰出し操作、及び、巻取り操作に円滑さを欠いていた。
【０００５】
本発明の目的は、ガイド孔の形状に工夫を加え、釣り糸を繰出す際や巻取り時において、ガイド孔を通過する釣り糸に対する摺動抵抗を軽減し、繰出し操作、及び、巻取り操作の円滑さを向上させる中通し竿を提供する点にある。
【課題を解決するための手段】
【０００６】
〔構成〕
請求項１に係る発明の特徴構成は、前記糸ガイド機構に、前記糸導入孔に前記リールから繰出された釣り糸を誘導するガイド孔を形成し、このガイド孔が、横方向に長い長孔に形成されている点にあり、その作用効果は次の通りである。
【０００７】
〔作用〕
リールから繰出されてくる釣り糸の横広がり経路に合わせた横長い長孔に糸ガイド機構のガイド孔を形成したので、そのガイド孔を通過する釣り糸を円形のガイド孔の場合に比べて過度に収束させることはなく、釣り糸に対する摺動抵抗を減ずることができる。
【０００８】
〔効果〕
このように、ガイド孔を横長い長孔に形成するだけの簡単な改良を施すだけで、釣り糸に対する摺動抵抗を減じ、繰出し操作、及び、巻取り操作の円滑さを向上させる中通し竿を提供できるに至った。
【０００９】
請求項２に係る発明の特徴構成は、請求項１に係る発明において、前記糸ガイド機構に、前記ガイド孔を通過した釣り糸を前記糸導入孔に誘導する補助ガイド孔を形成し、この補助ガイド孔を横方向に長い長孔に形成するとともに、前記ガイド孔に比べて横方向に沿った長さを短く形成してある点にあり、その作用効果は次の通りである。
【００１０】
〔作用効果〕
つまり、ガイド孔と補助ガイド孔とを横長い長孔とすることによって、リールから繰出されて来る釣り糸の横振れに対して抵抗少なくガイドできる。そして、補助ガイド孔をガイド孔に比べて横方向に沿った長さを短く形成してあるので、補助ガイド孔で更に収束を高めることができ、元上等の中竿の竿元端の開口に抵抗なく、送り込むことができる。
【００１１】
請求項３に係る発明の特徴構成は、請求項１又は２に係る発明において、前記糸ガイド機構に、前記ガイド孔を通過した釣り糸を前記糸導入孔に誘導する補助ガイド孔を形成し、この補助ガイド孔を円形孔に形成してある点にあり、その作用効果は次の通りである。
【００１２】
〔作用効果〕
ここでは、補助ガイド孔を円形孔にしてある。リールから繰出されてくる釣り糸に対しては、横長い長孔状のガイド孔によって横広がり状態にある釣り糸に対して過度の抵抗を付与しない状態で、そのガイド孔によって釣り糸を収束している。したがって、補助ガイド孔が円形孔であっても、過度の抵抗を付与することとならず、釣り糸を案内することができる。
一方、釣り糸を巻き取る場合には、円形断面の竿体を通って補助ガイド孔に導入されることとなるので、円形状の補助ガイド孔によって、抵抗を大きく掛けずに収束することができる。
【００１３】
請求項４に係る発明の特徴構成は、請求項１〜３の内のいずれか一つに係る発明において、竿体に取り付け固定されるガイドフレームに、前記ガイド孔と前記補助ガイド孔とを形成して前記糸ガイド機構を構成するとともに、前記ガイドフレームの竿体に対する脚部を竿体の両側面に位置させて取り付け固定している点にあり、その作用効果は次の通りである。
【００１４】
〔作用効果〕
前記ガイドフレームの竿体に対する脚部を竿体の両側面に位置させて取り付け固定している。これによって、脚部を竿体の上面に位置させて取り付ける構成に比べて、ガイドフレームに形成したガイド孔、補助ガイド孔の位置を十分に竿体糸導入孔に近接させて設けることができ、釣り糸が糸導入孔の縁部に接触する状態を抑制することができる。
【発明を実施するための最良の形態】
【００１５】
船竿や磯竿として使用される中通し竿Ａについて説明する。図１及び図２に示すように、竿体としての元竿１に可動フード２Ａと固定フード２Ｂとを備えた筒状のリールシート２を取り付け固定するともに、リールシート２の竿先側にフロントグリップ３を取り付け、フロントグリップ３の竿先側に糸導入孔４を設け、リールシート２に取り付けた両軸受リールＲから繰出されてくる釣り糸ａを、糸導入孔４を通して元竿１の内部に形成した釣り糸案内経路ｂに導入して、図外のトップガイドより繰出す中通し竿Ａを構成する。
【００１６】
元竿１の糸導入孔４の外側に取り付けられる糸ガイド機構Ｂについて説明する。図１及び図２に示すように、糸ガイド機構Ｂは、元竿１に取り付け固定されるガイドフレーム５を備えており、そのガイドフレーム５に両軸受リールＲから繰出されてくる釣り糸ａをガイドするガイド孔６と補助ガイド孔７とを形成して構成されている。
【００１７】
図１及び図２に示すように、糸導入孔４は、元竿１の竿軸線方向に沿った長孔に形成されており、ガイドフレーム５を糸導入孔４に跨る状態で設けてある。つまり、ガイドフレーム５は、横幅が細い板状フレームを曲げ形成したものであり、一端に形成した板状脚部５Ａを糸導入孔４より更に竿先側に載置固定すべく構成し、他端に形成した二股状脚部５Ｂを糸導入孔４より更に竿元側に載置固定すべく構成してある。
【００１８】
図２及び図３に示すように、板状脚部５Ａを糸導入孔４の竿先側延長上に載置し、二股状脚部５Ｂを糸導入孔４の竿元側延長上から左右に振り分け左右の横側面位置に載置し、取付糸ｃを板状脚部５Ａと元竿１の外周面、及び、二股状脚部５Ｂと元竿１の外周面とに亘って巻回し、ガイドフレーム５を元竿１に取り付け固定する。
【００１９】
図２から図４に示すように、ガイドフレーム５は、糸導入孔４から離れる方向に徐々に立ち上がる緩傾斜部５Ｃを板状脚部５Ａから立ち上げるとともに、緩傾斜部５Ｃの頂点位置を糸導入孔４の竿元側端の上方に配置し、この緩傾斜部５Ｃの頂点位置より傾斜が急な急傾斜部５Ｄを元竿１の外周面に向けて立ち下げ、急傾斜部５Ｄの下端より脚部としての二股状脚部５Ｂを設けて、構成してある。
ガイドフレーム５の材質としては、アルミニュウムやチタン等の金属、或いは、ＡＢＳ樹脂等の硬質樹脂で構成してもよい。
【００２０】
図２及び図３に示すように、ガイドフレーム５の急傾斜部５Ｄにガイド孔６を形成し、両軸受リールＲから繰出された釣り糸ａを導入すべく構成するとともに、ガイド孔６の縁部にガイドリング６ａを取り付けてある。ガイドリング６ａは、釣り糸ａの滑りを良くしながら磨耗を抑制すべく、硬質で滑動性に富む超合金等の金属材、及び、炭化珪素等のセラミック材、及び、サーメット等の金属とセラミック等の中間材が使用される。
【００２１】
図２及び図３に示すように、ガイドフレーム５の緩傾斜部５Ｃから糸導入孔４に向けてフレームを立ち下げ、フレームに補助ガイド孔７を形成してある。補助ガイド孔７は、図４に示すように、円形孔であり、その縁部にガイドリング７ａを取付けてある。ガイドリング７ａは、釣り糸ａの滑りを良くしながら磨耗を抑制すべく、硬質で滑動性に富む超合金等の金属材、及び、炭化珪素等のセラミック材、及び、サーメット等の金属とセラミック等の中間材が使用される。
ガイド孔６と補助ガイド孔７は、両軸受リールＲから繰出される釣り糸ａを導入する線上に位置するように形成されている。
【００２２】
図３に示すように、ガイド孔６は、両軸受リールＲのレベルワインド機構Ｒａの作動方向に沿った横方向に長い長孔に形成してある。これによって、両軸受リールＲのレベルワインド機構Ｒａによって、左右方向に振られる釣り糸ａを抵抗少なく収束させることができる。
【００２３】
次に、元上８等の中竿、穂先竿等と糸ガイド機構Ｂとの関係について説明する。ここでは、元上８を代表として説明する。図２に示すように、元竿１内に振り出し形式で収納されている元上８の竿元端には、元上８の竿内に形成されている釣り糸案内経路ｂ内に糸導入孔４からの釣り糸ａを導入する開口８Ａを形成してある。開口８Ａの縁部にはガイドリング８ａを装着してあり、ガイドリング８ａは、円形の挿通孔を形成してあり、前記したように、硬質で滑動性に富む超合金等の金属材、及び、炭化珪素等のセラミック材、及び、サーメット等の金属とセラミック等の中間材が使用される。
【００２４】
釣りを始める前に、元竿１から穂先竿までに亘って糸通しを行う場合には、元上８の竿元端における開口８Ａを糸導入孔４の竿先側端近くに位置させる。これによって、糸導入孔４から開口８Ａ内に折れ曲りなく、糸を挿通することができる。
【００２５】
釣り場を移動する場合には、図２に示すように、元上８等を糸導入孔４より更に竿元側に入り込む状態で元竿１内に収納する。この場合に、糸導入孔４を通して導入される釣り糸ａは、一旦、竿元側に向かって元上８の外周面と元竿１の内周面との間に位置する状態で元上８の竿元端に向けて誘導される。
【００２６】
この場合に、糸ガイド機構Ｂの補助ガイド孔７に至った釣り糸ａは、竿先側に向かうことなく反転して竿元側に向かうこととなる。この場合に、釣り糸ａはガイド孔６ではなく、補助ガイド孔７で反転することとなるので、釣り糸ａが糸導入孔４の竿元側端に接触することを抑制することができる。
【００２７】
〔別実施形態〕
（１）  補助ガイド孔７の孔形状として、図４に示すように、円形のものを提示したが、ここでは、図５に示すように、横長い長孔であってもよい。つまり、ガイド孔６として、横長い長孔を採用した。この長孔と同じように、補助ガイド孔７として、横長の長孔とする。ただし、長孔の横方向に長い長辺寸法は、ガイド孔６の長辺寸法より小さくするものとする。
このように、ガイド孔６と補助ガイド孔７とを横長い長孔とすることによって、両軸受リールＲから繰出されて来る釣り糸ａの横振れに対して抵抗少なくガイドできるとともに、補助ガイド孔７で横方向での収束を高め、元上８の竿元端の円形開口に抵抗なく、送り込むことができる。
（２）  糸導入孔４の縁部に対して、ガイドリングを設けてもよい。
（３）  糸導入孔４及び糸ガイド機構Ｂを形成する対象としては、元竿１ではなく、元上８等の中竿であってもよい。
（４）  糸ガイド機構Ｂに形成するのは、ガイド孔６だけでもよく、補助ガイド孔７を必ずしも設けなくともよい。
（５）  本発明に適用されるリールとしては、両軸受リールだけでなく、リールから繰出される釣り糸が、左右に拡がった状態で繰出される形式のリールであれば、スピニングリール等であってもよい。
【図面の簡単な説明】
【００２８】
【図１】（イ）中通し竿を示す側面図、（ロ）中通し竿を示す平面図
【図２】元上と糸導入孔と糸ガイド機構とを示す縦断側面図
【図３】図２におけるＩＩＩ―ＩＩＩ線断面図
【図４】図２におけるＩＶ―ＩＶ線断面図
【図５】元上と糸導入孔と糸ガイド機構とを示し、糸ガイド機構の補助ガイド孔を楕円形孔としたものを示す縦断背面図
【符号の説明】
【００２９】
１            竿体（元竿）
４            糸導入孔
５Ｂ          脚部
６            ガイド孔
７            補助ガイド孔
Ｂ            糸ガイド機構
Ｒ            リール（両軸受リール）
Ｒａ          レベルワインド機構
ａ            釣り糸
ｂ            釣り糸案内経路
【図１】
2008043265.tif 000003
【図２】
2008043265.tif 000004
【図３】
2008043265.tif 000005
【図４】
2008043265.tif 000006
【図５】
2008043265.tif 000007